(57)【要約】【課題】実際の線香と同様な太さの疑似線香細管の上端部より、実際の線香の燃焼時と同様な白煙を発生されることができ、しかも疑似線香細管が過熱することもなく、仏具としても興趣に富んだ電熱加熱式の非燃焼式線香器を提供すること。【解決手段】線香立てとなる香炉状容器（２）と、香炉状容器の上面に立設された線香状細管（３）と、不燃性保湿体（４１）に含ませた香料液体を電熱加熱によって気化させることにより、香気を含む白煙状水蒸気（Ｖ）を発生させる気化器（４）と、所定風量の送風が可能なモータ式送風機（６）と、気化器上方の所定容量の空間を囲むように形成され、気化器から発生する白煙状水蒸気を閉じこめると共に、その下部には前記送風機の送風口と連通する流入口（５１）が、またその上部には前記線香状細管と連通する流出口（３ｂ）がそれぞれ設けられた水蒸気チャンバ（５）とを包含する。【選択図】図２
2011240042.tif 000002
【特許請求の範囲】
【請求項１】
線香立てとなる香炉状容器（２）と、
前記香炉状容器の上面に立設された線香状細管（３）と、
前記香炉状容器内にあって、不燃性保湿体（４１）に含ませた香料液体を電熱加熱によって気化させることにより、香気を含む白煙状水蒸気を発生させる気化器（４）と、
前記香炉状容器内にあって、所定風量の送風が可能なモータ式送風機（６）と、
前記香炉状容器内にあって、前記気化器上方の所定容量の空間を囲むように形成され、前記気化器から発生する白煙状水蒸気（Ｖ）を閉じこめると共に、その下部には前記送風機の送風口と連通する流入口（５１ａ）が、またその上部には前記線香状細管と連通する流出口（３ｂ）がそれぞれ設けられた水蒸気チャンバ（５）とを包含し、
それにより、前記水蒸気チャンバ内に、前記下部流入口から前記上部流出口へと向かう空気（Ａ）の流れを形成しつつ、前記気化器から白煙状水蒸気（Ｖ）を発生させることにより、前記白煙状水蒸気を前記空気の流れに乗せて、前記線香状細管の上端開口より外部へと放出する、ことを特徴とする非燃焼式線香器。
【請求項２】
前記香料液体が適宜に満たされ、かつ吸い上げ軸が内部に挿入された香料瓶（７）と、
前記香料瓶の口から突出する吸い上げ軸（７１）と、前記気化器の不燃性保湿体（４１）との間に介在され、前記吸い上げ軸から前記不燃性保湿体へと、前記香料液体を毛細管現象により導くための導液媒体（８）とをさらに有し、
それにより、前記香料瓶から前記気化器へと香料液体を前記導液媒体を介して連続的に供給する、ことを特徴とする請求項１に記載の非燃焼式線香器。
【請求項３】
前記導液媒体（８）が、不燃性材料から成る円筒状枠体（８１）と、前記円筒状枠体の底面（８１ａ）と周面（８１ｂ）とを覆うようにして被着された導液性シート（８２）とからなると共に、その底面を前記香料瓶（７）から突出する吸い上げ軸（７１）の上端面に接触させるようにして配置されており、かつ前記気化器の不燃性保湿体（４１）が直棒状であって、前記円筒状枠体の上面に、その直径方向に延在させて、相対向する上縁部（８１ｃ）間に架け渡されており、
それにより、前記香料瓶から吸い上げられた香料液体は、前記吸い上げ軸と接する底面の導液性シート（８２ａ）を介して前記底面を放射状に伝ったのち、同周面の導液性シート（８２ｂ）を介して前記周面の全周を下から上へと伝って、円筒体の上縁部全周（８１ｃ）へと至り、しかるのち、気化器を構成する直棒状保湿体（４１）の全体へとその両端部から染み渡る、ことを特徴とする請求項２に記載の非燃焼式線香器。
【請求項４】
前記円筒状枠体の底面及び周面に被着される導液性シート（８２）が金属製メッシュテープである、ことを特徴とする請求項３に記載の非燃焼式線香器。
【請求項５】
前記気化器の直棒状保湿体（４１）が、紙縒状のガラス繊維を束ねて直棒状に整形してなるものである、ことを特徴とする請求項３に記載の非燃焼式線香器。
【請求項６】
前記気化器及び前記送風機の運転時間を制御するタイマ（１０３）をさらに有する、ことを特徴とする請求項１〜５のいずれかに記載の非燃焼式線香器。
【請求項７】
前記タイマの運転時間を２以上の運転時間に切り換えるためのスイッチ（１１）をさらに有する、ことを特徴とする請求項６に記載の非燃焼式線香器。
【請求項８】
前記送風機の風量を２以上の風量に切り換えるためのスイッチ（１１）をさらに有する、ことを特徴とする請求項１〜５のいずれかに記載の非燃焼式線香器。
【発明の詳細な説明】
【技術分野】
【０００１】
この発明は、着火燃焼によることなく、線香の燃焼時と同様な白煙と香気とを生成できる非燃焼式線香器に関する。
【背景技術】
【０００２】
着火燃焼によることなく、線香の燃焼時と同様な白煙と香気とを生成できるようにして、防火安全性や使い勝手を向上させた非燃焼式線香器は、従来より知られている（例えば、特許文献１参照）。この非燃焼式線香器は、香炉状容器内に収容された香料瓶から突出する吸い上げ軸の上端部を香炉灰中に臨ませ、これを電熱加熱することにより白煙状の水蒸気を発生させるものである。
【０００３】
しかしながら、上述の非燃焼式線香器にあっては、白煙それ自体は、疑似線香の先端からではなく、香炉の灰中に置かれた水蒸気発生源から立ち昇るものであるから、実際の線香燃焼時とは白煙発生の様子が幾分異なり、今ひとつ、仏事における趣に欠けると言う問題点があった。
【０００４】
そこで、実際の線香燃焼時と同様に、線香の燃焼時と同様な白煙が、疑似線香の先端から立ち昇るようにした非燃焼式線香器も、既に、開発されている（例えば、特許文献２参照）。この非燃焼式線香器は、疑似線香となる細管内に線状導液部材を挿入すると共に、その下端を香炉状容器内に収容された香料瓶内の香料液体中に浸漬させ、その状態で線状導液部材の上端部又は疑似線香細管そのものを電熱加熱することにより、疑似線香となる細管の先端から水蒸気の白煙を発生されるものである。
【０００５】
しかしながら、上述の細管内加熱方式による非燃焼式線香器にあっては、線状導液媒体の上端部を電熱線にて加熱又は疑似線香細管それ自体を電熱加熱するものであるから、疑似線香細管そのものの温度も、相当に高い温度にまで達することとなって、使用者に火傷を負わせる危険があり、また内部に線状導液媒体を挿入する関係から、疑似線香細管の太さが実際の線香よりもかなり太いものとなり、仏具として趣に欠けると言う問題点があった。
【０００６】
なお、線香の燃焼時と同様な白煙が、疑似線香の先端から立ち昇るようにした非燃焼式線香器としては、超音波振動子を用いて水を霧化させるものも提案されている（例えば、特許文献３参照）。この非燃焼式線香器は、香炉状容器内に収容された超音波発生装置にて香料液体を霧化させると共に、こうして得られた霧を、香炉上に立設された線香状細管中を下から上へと流しつつ、上端開口から外部へと放出するようにしたものである。
【０００７】
しかしながら、上述の超音波利用の非燃焼式線香器にあっては、超音波振動子により霧化された霧は、加熱により得られた水蒸気とは異なり、それ自体では上昇気流を生じにくいことから、線香状細管内に下から上へと流し込むことが難しく、加えて、線香状細管の上端開口より放出した際の煙がたなびく様子も実際の線香からの煙とはかなり趣が異なる他、線香状細管から放出された霧は直ぐに水滴化して周囲を濡らすと言った様々な問題点があった。
【０００８】
なお、加熱型芳香器において、芳香成分の発散力を強めるためにファンを発散孔の内側に設けることは従来より知られている（例えば、特許文献４、第１６頁、第７〜１０行参照）。
【先行技術文献】
【特許文献】
【０００９】
【特許文献１】特開平７−８００５４号公報
【特許文献２】特開２００２−２７２８３０号公報
【特許文献３】特開２００５−１７７２３０号公報
【特許文献４】実開昭６１−１３０２３４号公報
【発明の概要】
【発明が解決しようとする課題】
【００１０】
この発明は、従来の非燃焼式線香器における上述の問題点に着目してなされたものであり、その目的とするところは、実際の線香と同様な太さの疑似線香細管の上端部より、実際の線香の燃焼時と同様な白煙を発生されることができ、しかも疑似線香細管が過熱することもなく、仏具としても興趣に富んだ電熱加熱式の非燃焼式線香器を提供することにある。
【００１１】
この発明のさらに他の目的、並びに、作用効果については、明細書の以下の記述を参照することにより、当業者で有れば容易に理解される筈である。
【課題を解決するための手段】
【００１２】
上述の技術的な課題は、以下の構成を有する非燃焼式線香器により解決することができるものと考えられる。
【００１３】
すなわち、本発明の非燃焼式線香器は、線香立てとなる香炉状容器と、前記香炉状容器の上面に立設された線香状細管と、前記香炉状容器内にあって、不燃性保湿体に含ませた香料液体を電熱加熱によって気化させることにより、香気を含む白煙状水蒸気を発生させる気化器と、前記香炉状容器内にあって、所定風量の送風が可能なモータ式送風機と、前記香炉状容器内にあって、前記気化器上方の所定容量の空間を囲むように形成され、前記気化器から発生する白煙状水蒸気を閉じこめると共に、その下部には前記送風機の送風口と連通する流入口が、またその上部には前記線香状細管と連通する流出口がそれぞれ設けられた水蒸気チャンバとを包含し、それにより、前記水蒸気チャンバ内に、前記下部流入口から前記上部流出口へと向かう空気の流れを形成しつつ、前記気化器から白煙状水蒸気を発生させることにより、前記白煙状水蒸気を前記空気の流れに乗せて、前記線香状細管の上端開口より外部へと放出する、ことを特徴とするものである。
【００１４】
このような構成によれば、気化器から発生する白煙状水蒸気は、下部流入口から上部流出口へと向かう空気の流れに乗って水蒸気チャンバ内を運ばれつつ、白煙状態を維持したままで、上部流出口から線香状細管内へとスムーズに送り込まれる結果、実際の線香と同様な太さの線香状細管であっても、白煙状水蒸気はその内部をスムーズに通過するから、線香状細管の上端部からは、実際の線香の燃焼時と同様な白煙が絶え間なく放出されることとなり、しかも熱源は線香状細管側には存在しないため、線香状細管が過熱することもなく、仏具としても極めて興趣に富んだ電熱加熱式の非燃焼式線香器を実現することができる。
【００１５】
また、気化器から発生する白煙状の水蒸気は、香炉状容器内に広く拡散することなく、水蒸気チャンバ内に閉じ込められて白煙状態を維持したままで、線香状細管へと送り込まれるため、送風機の制御により下部流入口から流入する空気量を増減して、白煙状水蒸気と流入空気との混合比を調整することにより、流入空気量を少なめにして白煙濃度を増加させたり、逆に、流入空気量を多めにして香気拡散量を増加させる等の制御を容易に行うことができる。
【００１６】
本発明にあっては、前記香料液体が適宜に満たされ、かつ吸い上げ軸が内部に挿入された香料瓶と、前記香料瓶の口から突出する吸い上げ軸と、前記気化器の不燃性保湿体との間に介在され、前記吸い上げ軸から前記不燃性保湿体へと、前記香料液体を毛細管現象により導くための導液媒体とをさらに有し、それにより、前記香料瓶から前記気化器へと香料液体を前記導液媒体を介して連続的に供給する、ようにしてもよい。
【００１７】
このような構成によれば、香料液体を必要量だけ香料瓶に満たしておくことにより、気化器からの水蒸気の発生を所望の期間だけ継続させることができ、また香料瓶への香料液体の補給や香料瓶単位での香料交換により、水蒸気発生期間の延長乃至香料種類の変更などにも容易に対応可能となる。
【００１８】
このとき、前記導液媒体が、不燃性材料から成る円筒状枠体と、前記円筒状枠体の底面と周面とを覆うようにして被着された導液性シートとからなると共に、その底面を前記香料瓶から突出する吸い上げ軸の上端面に接触させるようにして配置されており、かつ前記気化器の不燃性保湿体が直棒状であって、前記円筒状枠体の上面に、その直径方向に延在させて、相対向する上縁部間に架け渡されており、それにより、前記香料瓶から吸い上げられた香料液体は、前記吸い上げ軸と接する底面の導液性シートを介して前記底面を放射状に伝ったのち、同周面の導液性シートを介して前記周面の全周を下から上へと伝って、円筒体の上縁部全周へと至り、しかるのち、気化器を構成する直棒状保湿体の全体へとその両端部から染み渡る、ようにしてもよい。
【００１９】
このような構成によれば、毛細管現象による導液経路の路幅増大により、香料瓶から気化器への香料伝達効率を向上させることができると共に、気化器を構成する直棒状保湿体に対する香料液体の補充については最適化され、白煙状水蒸気の発生を効率よく継続することができる。
【００２０】
なお、前記円筒状枠体の底面及び周面に被着される導液性シートが金属製メッシュテープとすれば、十分な毛細管現象を生じさせることができると共に、前記円筒状枠体周囲への被覆作業が容易となる。
【００２１】
また、前記気化器の直棒状保湿体が、紙縒状のガラス繊維を束ねて直棒状に整形してなるものとすれば、十分な不燃性を確保しつつ、導液媒体から到来する香料液体を効率よく取り込んでその内部に保持することができる。
【００２２】
本発明の非燃焼式線香器にあっては、前記気化器及び前記送風機の運転時間を制御するタイマをさらに有する、ものであってもよい。
【００２３】
このような構成によれば、香気を含んだ白煙状水蒸気の発生開始から発生終了に至る動作を自動的に管理することできる。
【００２４】
このとき、前記タイマの運転時間を２以上の運転時間に切り換えるためのスイッチをさらに有する、ものであってもよい。
【００２５】
このような構成によれば、自動管理される運転継続時間を予め設定された２以上の運転時間から選択することができる。
【００２６】
本発明の非燃焼式線香器にあっては、前記送風機の風量を２以上の風量に切り換えるためのスイッチをさらに有する、ものであってもよい。
【００２７】
このような構成によれば、送風機の風量を予め設定された２以上の風量から選択することができる。特に、このとき、風量を少なめに設定して、白煙状水蒸気に対する混入空気量を少なめとすれば、線香状細管から放出される白煙状水蒸気の濃度（白さ）は増すこととなり、逆に、風量を多めに設定して、白煙状水蒸気に対する混入空気量を多めとすれば、線香状細管から放出される白煙状水蒸気は濃度は減じるものの量は増すこととなり、結果として、香気の拡散が増すこととなる。
【発明の効果】
【００２８】
本発明によれば、気化器から発生する白煙状水蒸気は、下部流入口から上部流出口へと向かう空気の流れに乗って水蒸気チャンバ内を運ばれつつ、白煙状態を維持したままで、上部流出口から線香状細管内へとスムーズに送り込まれる結果、実際の線香と同様な太さの線香状細管であっても、白煙状水蒸気はその内部をスムーズに通過するから、線香状細管の上端部からは、実際の線香の燃焼時と同様な白煙が絶え間なく放出されることとなり、しかも熱源は線香状細管側には存在しないため、線香状細管が過熱することもなく、仏具としても極めて興趣に富んだ電熱加熱式の非燃焼式線香器を実現することができる。
【００２９】
また、気化器から発生する白煙状の水蒸気は、香炉状容器内に広く拡散することなく、水蒸気チャンバ内に閉じ込められて白煙状態を維持したままで、線香状細管へと送り込まれるため、送風機の制御により下部流入口から流入する空気量を増減して、白煙状水蒸気と流入空気との混合比を調整することにより、流入空気量を少なめにして白煙濃度を増加させたり、逆に、流入空気量を多めにして香気拡散量を増加させる等の制御を容易に行うことができる。
【図面の簡単な説明】
【００３０】
【図１】非燃焼式線香器の外観斜視図である。
【図２】非燃焼式線香器のII-II線断面図である。
【図３】気化器と導液媒体との関係を示す分解斜視図である。
【図４】香料瓶の吸い上げ軸から気化器へ至る香料液体の伝わる経路を説明するための模式図である。
【図５】回路構成の全体を示すハードウェアブロック図である。
【図６】マイクロプロセッサに組み込まれる制御プログラムの構成を概略的に示すフローチャート（その１）である。
【図７】マイクロプロセッサに組み込まれる制御プログラムの構成を概略的に示すフローチャート（その２）である。
【発明を実施するための形態】
【００３１】
以下に、本発明に係る非燃焼式線香器の好適な実施の一形態を添付図面を参照しながら詳細に説明する。
【００３２】
図１及び図２に示されるように、本発明に係る非燃焼式線香器１は、線香立てとなる香炉状容器２と、香炉状容器２の上面に立設された線香状細管３とを有する。
【００３３】
図示の香炉状容器２は、３本の脚を有する円形の壺状に形成されているが、勿論、その形状はこれに限定されるものではなく、角形、楕円形等々、線香立てと成り得る任意の香炉形状を採用することができる。この香炉状容器２は、図２に示されるように、内部は中空であって、天板２ｂを僅かに凹ませることにより灰受け皿が形成され、この灰受け皿には疑似灰１２が満たされている。
【００３４】
線香状細管３は、この例では、１本とされているが、その本数は２本以上でもよいことは勿論である。また、線香状細管３の太さ及び長さは、実際の線香の太さとほぼ同径のものであってもよく、例えば外径１．６ｍｍ〜２．８ｍｍ、長さ１００ｍｍ〜１８０ｍｍの範囲のものを使用することができる。その材質は、耐熱性や不燃性を要求されないことから、金属でもプラスチックでもよく、この例では、外径２ｍｍ、肉厚０．４ｍｍ、長さ１４ｍｍのアルミ管が使用されている。
【００３５】
一方、香炉状容器２の内部には、図２に示されるように、不燃性保湿体に含ませた香料液体を電熱加熱によって気化させることにより、香気を含む白煙状水蒸気を発生させる気化器４と、所定風量の送風が可能なモータ式送風機６と、気化器４上方の所定容量の空間を囲むように形成され、気化器４から発生する白煙状水蒸気を閉じこめると共に、その下部には送風機の送風口と連通する流入口５１ａが、またその上部には線香状細管３と連通する流出口３ｂがそれぞれ設けられた水蒸気チャンバ５とが存在する。
【００３６】
気化器４は、この例にあっては、外部から香料液体が常に補給される形式のものが採用されている。すなわち、気化器４の下方には、香料液体が適宜に満たされ、かつ吸い上げ軸（一般に「メルト」とも称する）７１が内部に挿入された香料瓶７と、香料瓶７の口７ａから突出する吸い上げ軸７１と、気化器４の不燃性保湿体４１との間に介在され、吸い上げ軸７１から不燃性保湿体４１へと、香料液体を毛細管現象により導くための導液媒体８とが存在し、それにより、香料瓶７から気化器４へと香料液体を導液媒体８を介して連続的に供給するように構成されている。
【００３７】
香料瓶７は、この例では、交換が容易なように、容器２の外部から底板２ａに明けた孔へとねじ７ｂによるネジ込み式で装着されると共に、円形断面を有する縦型瓶が採用され、その材質としては、香料液体の残量確認を容易とするためには、透明なガラスやプラスチック等が好ましい。これに合わせて、吸い上げ軸７１の断面も円形とされている。また、香料瓶７の容量は、少なくとも予定の使用期間（例えば、７日〜９０日）の間、香料液体の補充乃至瓶交換が不要なように、５ｍｌ〜３５ｍｌ程度の大きさとすることが好ましい。さらに、これに挿入される吸い上げ軸７１としては、十分な吸い上げ量を確保するために、外径３ｍｍ〜１０ｍｍとすることが好ましい。
【００３８】
導液媒体８は、この例にあっては、図３に示されるように、例えばセラミック等の不燃性材料から成る有底の円筒状枠体８１と、円筒状枠体８１の底面８１ａと周面８１ｂとを覆うようにして被着された導液性シート８２とからなると共に、その底面を香料瓶７から突出する吸い上げ軸７１の上端面に密に接触させるようにして配置されている。
【００３９】
一方、気化器４の不燃性保湿体４１は、この例にあっては、図３に示されるように、直棒状であって、円筒状枠体８１の上面に、その直径方向に延在させて、相対向する上縁部８１ｃ，８１ｃ間に切欠８１ｄ．８１ｄに嵌合するようにして、架け渡されている。この直棒状の不燃性保湿体４１の周囲には、電熱加熱のための電熱線４２が巻き付けられている。
【００４０】
そのため、図４に示されるように、香料瓶７から吸い上げられた香料液体は、吸い上げ軸７１と密に接する底面の導液性シート８２ａを介して前記底面を毛細管現象にて放射状に伝ったのち（矢印Ｌ１参照）、同周面の導液性シート８２ｂを介して前記周面の全周を下から上へと毛細管現象にて伝って、円筒体の上縁部８１ｃ全周へと至り（矢印Ｌ２参照）、しかるのち、気化器４を構成する直棒状保湿体４１の全体へとその両端部から毛細管現象にて効率よく染み渡り（矢印Ｌ３参照）、しかるのち、電熱線４２への通電による発熱により加熱されて、香気を含んだ白煙状の水蒸気に変換される。
【００４１】
この例にあっては、円筒状枠体８１の底面及び周面に被着される導液性シート８２としては、金属製メッシュテープが採用されているので、強度並びに弾性に優れ、吸い上げ軸７１との密着性が良好となる利点がある。
【００４２】
また、この例にあっては、気化器４の直棒状保湿体４１としては、紙縒状のガラス繊維を束ねて断面ほぼ円形の直棒状に整形してなるものが採用されているので、不燃性を満足させると共に、十分な量の香料液体を含浸させることができる。
【００４３】
このようにして気化器４１を一体に取り付けられた導液媒体８は、図示しない、接着剤又はビス等の結合具等の固着手段を介して、後述する水蒸気チャンバのチャンバ壁５１の下端部に取り付けられている。
【００４４】
なお、図４においては、円筒状枠体８１と導液性シート８２との関係を誇張するために、チャンバ壁５１と導液媒体８との間には隙間が存在するように描かれているが、実際には、送風機６からの流入空気Ａや気化器４から発生する水蒸気Ｖが水蒸気チャンバ５から漏れ出すことがないように、両者間は密に接合される。
【００４５】
本発明の要部である水蒸気チャンバ５は、この例にあっては、香炉状容器２の天板２ａの下面に垂直下向きに取り付けられた金属製の円筒状チャンバ壁５１の下端開口を、気化器４１を一体に取り付けられた導液媒体８により塞ぐことにより構成されている。すなわち、気化器４の上方空間は、円筒状チャンバ壁５１により囲まれることとなり、これにより所定容量の水蒸気チャンバ５が出現することとなる。
【００４６】
水蒸気チャンバ５の上部には、この例では、天板２ｂを貫通して線香状細管３の下端部が挿入されており、この下端部がそのまま本発明の空気流出口３ｂとして機能することとなる。また、水蒸気チャンバ５の下部チャンバ壁５１には、この例では、送風機６の送風口に連通する送風管６１の接続孔が設けられており、この接続孔がそのまま本発明の空気流入口５１ａとして機能することとなる。
【００４７】
水蒸気チャンバ５の容量は、気化器４から発生する白煙状水蒸気Ｖの発生量や送風機６から流入する空気量、並びに、線香状細管３の上端開口３ａから発生する白煙状水蒸気の濃度（白色度）を考慮して決定される。この例にあっては、水蒸気チャンバ５の容量は１ｍｌ〜２ｍｌ程度に設定されている。
【００４８】
いずれにしても、このような水蒸気チャンバ５が存在しなければ、送風機６から香炉状容器２内へと送風機６で空気を流入させると、気化器４から発生する白煙状水蒸気Ｖは、香炉状容器２内の広い空間内を滞留する間に、白色度が薄れて霞んでしまい、線香状細管３の上端開口３ａから十分なる濃度（白色度）を有する白煙状水蒸気を放出させることが困難となる。
【００４９】
なお、送風機６としては、気化器４から発生する白煙状水蒸気Ｖと適度に混合され、かつ実際の線香燃焼時に発生する白煙と同様な白煙を線香状細管３の上端開口３ａから立ち昇らせる程度の適度の微風を送出できるファンモータを採用することができる。
【００５０】
送風機６から水蒸気チャンバ５の内部へと空気を送り込むための構造としては、この例では、ゴム製又はプラスチック製のフレキシブルチューブにより、送風機６の送風口とチャンバ壁５１の接続孔との間を結ぶものが採用されているが、その他、送風機６の送風口とチャンバ壁５１の接続孔とを直結する等の任意の構成を採用することができる。
【００５１】
また、線香状細管３と水蒸気チャンバ５とを連通するための構成についても、線香状細管３ｂの下端部を天板２ｂに貫通させるものに限定されず、例えば、チャンバ壁５１に設けた接続孔に線香状細管３の下端部と連通する管路又はチューブを介在させる等々、任意に構成を採用することができる。
【００５２】
さらに、チャンバ壁５１についても、上下が開放された円筒状のものに限らず、気化器を収容する密閉状の任意の箱体であって、その上下に、流入口と流出口が存在するものであれば、任意の形状のものを採用することができる。
【００５３】
次に、電気的な構成について説明する。この例に示される非燃焼式線香器１の電気的な主たる要素部品としては、気化器４を構成するヒータである電熱線４２と、送風機６のモータ１０４ａ（図５参照）と、香炉状容器２の側面に取り付けられた電源スイッチ１０と、香炉状容器２の底面に取り付けられた４ビット（ｂ１〜ｂ４）のＤＩＰスイッチ１１とを挙げることができる。ここで、ＤＩＰスイッチ１１は、運転時間の切り換えや送風強度の切り換えに使用される。これらの要素部品は、図示しない、リード線を介して、香炉状容器２に内蔵された電気ユニット９内の回路基板へと電気的に接続されている。電気ユニット９内には、電源手段が収容されている。電源手段としては、通常の乾電池等の一次電池、リチウム電池等の二次電池の他、商用電源からコードで交流給電する場合には、ＡＣ／ＤＣ変換器並びに直流安定化ユニット等が採用され、その他、ＡＣ／ＤＣアダプタを介して直流電源をコードで給電する場合には、直流安定化ユニットで構成される。持ち運びの便からは、電源手段としては電池が好ましい。
【００５４】
回路基板に搭載された回路構成の全体を示すハードウェアブロック図が、図５に示されている。同図に示されるように、回路構成の全体は、回路全体を統括制御するマイクロプロセッサ１０１と、マイクロプロセッサ１０１からの制御で電熱線４２を駆動するヒータドライバ１０２と、マイクロプロセッサ１０１からの制御で所定の３種類のタイマ時間（短時間、中時間、長時間）をカウントするタイマ用カウンタ１０３と、マイクロプロセッサ１０１からの制御で送風機６の送風量を所定の３種類の送風量（強風、中風、弱風）に切り換えて送風機６を駆動することができる送風機ドライバ１０４と、タイマ時間の設定に割り当てられた２ビット（ｂ１，ｂ２）と送風量に割り当てられた２ビット（ｂ３，ｂ４）とを有するＤＩＰスイッチ１１とから構成されている。
【００５５】
マイクロプロセッサに組み込まれる制御プログラムの構成を概略的に示すフローチャート（その１）が図６に、同（その２）が図７にそれぞれ示されている。
【００５６】
図６において、電源スイッチ１０の投入により処理が開始されると、先ず、イニシャライズ処理により、各種の制御用フラグやレジスタ等の初期設定が行われたのち（ステップ２０１）、ＤＩＰスイッチ１１の出力を読み込み（ステップ２０２）、設定時間（ｂ１，ｂ２）のチェックを行う（ステップ２０３）。
【００５７】
ここで、設定時間の内容が、長時間（ｂ１，ｂ２＝０，１）、中時間（ｂ１，ｂ２＝１，０）、又は短時間（ｂ１，ｂ２＝１，１）と判定されると（ステップ２０４ＹＥＳ、２０５ＹＥＳ、又は２０６ＹＥＳ）、タイマカウンタの値は長時間（ステップ２０７）、中時間（ステップ２０８）、又は短時間（ステップ２０６）にそれぞれ設定される。
【００５８】
続いて、図７に移って、ＤＩＰスイッチ１１の出力に基づいて、設定風量（ｂ３，ｂ４）のチェックを行う（ステップ２１０）。
【００５９】
ここで、設定風量の内容が、強風（ｂ３，ｂ４＝０，１）、中風（ｂ３，ｂ４＝１，０）、又は弱風（ｂ３，ｂ４＝１，１）と判定されると（ステップ２１１ＹＥＳ、２１２ＹＥＳ、又は２１３ＹＥＳ）、送風機ドライバの送風強度の値は強風（ステップ２１４）、中風（ステップ２１５）、又は弱風（ステップ２１６）にそれぞれ設定される。
【００６０】
しかるのち、タイマの起動と共に（ステップ２１７）、ヒータを構成する電熱線への通電、及び設定風量による送風機の駆動が開始される（ステップ２１８）。この状態にて、タイマカウンタにおいて設定カウント値のカウントアップによりタイマがタイムアップすると（ステップ２１９）、ヒータを構成する電熱線への通電停止、及び送風機の駆動停止が行われる（ステップ２２０）。
【００６１】
したがって、以上の構成によれば、電源スイッチ１０の投入と共に、予め用意された強風、中風、又は弱風のいずれかの風量をもって、気化器４の電熱線４２への通電並びに送風機６のモータ１０４ａの駆動が行われ、この運転状態は、予め用意された長時間、中時間、又は短時間の経過と共に、停止状態へと自動的に切り替わる。
【００６２】
そのため、例えば、強風設定状態においては、水蒸気白煙の濃度は多少犠牲にしつつも、香気拡散量を優先するように仕組んでおくことにより、法事の際等には強風かつ長時間を予め選択することで、焼香開始に先立って、仏間に十分な香気が漂う状態を作り出すことができる。また、例えば、弱風設定状態においては、水蒸気白煙の濃度を優先するように仕組んでおくことにより、焼香中にあっては、実際の線香燃焼時と同様な濃度の高い白煙を作り出して、仏事の雰囲気を高めることができる。しかも、上述の線香器によれば、白煙を発する線香状細管３と熱源である気化器４とは十分に離隔して配置されているため、水蒸気発生のための熱源により線香状細管３が高温に加熱される危険はなく、また線香状細管３それ自体は気体通過を許容するだけであるから、特別に太径化する必要もなく、そのため、仏事の興趣を損ねることがないと言う利点がある。
【００６３】
なお、以上の実施形態にあっては、気化器４として、香料液体が常に外部から補給される形式としたが、これに代えて、予め所定量の香料液体を含浸させた不燃性保湿体を気密性シートに封入してなるカートリッジを用意し、その都度に、このカートリッジを開封して電熱式気化器にセットすると共に、使用完了の都度に使い捨てにすると言った形式を採用すれば、大掛かりな、香料液体の補給システムを構築する必要がないと言う利点がある。この際、気化器に採用するヒータは、電熱線に限らず、電熱セラミックヒータ等の任意の電熱加熱手段を採用し得ることは勿論である。
【００６４】
さらに、以上の実施形態においては、運転時間の切り換えスイッチ、並びに、風量の切り換えスイッチとしてＤＩＰスイッチ１１を採用したが、これに代えて、それぞれ任意の構造を有する切換スイッチを採用することもでき、加えて電源スイッチ１０とは別に任意の構造を有する運転スタートスイッチを設け、タイマの開始としてもよいことは勿論である。
【産業上の利用可能性】
【００６５】
本発明の非燃焼式線香器は、実際の線香と同様な太さの疑似線香細管の上端部より、実際の線香の燃焼時と同様な白煙を発生されることができ、しかも疑似線香細管が過熱することもなく、仏具としても興趣に富んだ電熱加熱式の非燃焼式線香器を提供することができる。
【符号の説明】
【００６６】
１        非燃焼式線香器
２        香炉状容器
２ａ      裏蓋
２ｂ      天板
３        線香状細管
３ａ      上端開口
３ｂ      流出口
４        気化器
４１      不燃性保湿体
４２      電熱線
５        水蒸気チャンバ
５１      チャンバ壁
５１ａ    流入口
６        送風機
６１      送風管
７        香料瓶
７ａ      瓶の口
７ｂ      ねじ部
７１      吸い上げ軸
８        導液媒体
８１      円筒状枠体
８１ａ    底面部
８１ｂ    周面部
８１ｃ    上縁部
８１ｄ    切欠
８２      導液性シート
８２ａ    底面シート
８２ｂ    周面シート
９        電気ユニット
１０      電源スイッチ
１１      ＤＩＰスイッチ
１２      疑似灰
１０１    マイクロプロセッサ
１０２    ヒータドライバ
１０３    タイマ用カウンタ
１０４    送風機ドライバ
１０４ａ  送風機モータ
１０５    ＤＩＰスイッチ
【図１】
2011240042.tif 000003
【図２】
2011240042.tif 000004
【図３】
2011240042.tif 000005
【図４】
2011240042.tif 000006
【図５】
2011240042.tif 000007
【図６】
2011240042.tif 000008
【図７】
2011240042.tif 000009